(57)【要約】【課題】カバーを電子装置の本体部に対して容易に着脱できるカバーロック機構及びそれを用いた電子装置を提供すること。【解決手段】本発明に係るカバーロック機構は、係合片を介して本体に係合されたカバー部材と本体との係合を解除することに用いられ、且つ押しボタン、軸及び弾性部品を備える。押しボタンは、軸を介して本体に回転可能に装着され、弾性部品は、軸を取り囲むように装着され且つ押しボタンに弾性的に当止され、押しボタンの一端には、当止ブロックが突設されており、押しボタンが押圧されると、押しボタンは軸を介して回転されることによって、当止ブロックは、係合片を推進して係合片と本体との係合を解除させ、これと同時に、弾性部品は捩れて弾性力を蓄積し、押しボタンに対する外力が除去されると、弾性部品は、弾性力を解放して、押しボタンを元の位置に戻す。【選択図】図２
2014192524.tif 000002
【特許請求の範囲】
【請求項１】
係合片を介して本体に係合されたカバー部材と前記本体との係合を解除することに用いられるカバーロック機構であって、
前記カバーロック機構は、押しボタン、軸及び弾性部品を備え、前記押しボタンは、前記軸を介して前記本体に回転可能に装着され、前記弾性部品は、前記軸を取り囲むように装着され且つ前記押しボタンに弾性的に当止され、前記押しボタンの一端には、当止ブロックが突設されており、前記押しボタンが押圧されると、前記押しボタンは前記軸を介して回転し、前記当止ブロックは、前記係合片を推進して前記係合片と前記本体との係合を解除させ、これと同時に、前記弾性部品は捩れて弾性力を蓄積し、前記押しボタンに対する外力が除去されると、前記弾性部品は、前記弾性力を解放して、前記押しボタンを元の位置に戻すことを特徴とするカバーロック機構。
【請求項２】
前記押しボタンは、対向して配置された２つの突片を備え、各突片には第二軸孔がそれぞれ設けられており、前記本体は、対向して配置された２つのバンプを備え、各バンプには第一軸孔がそれぞれ設けられており、前記軸の両端は、それぞれ順次に前記第二軸孔及び前記第一軸孔を貫通することによって、前記押しボタンは前記本体に回転可能に枢着されることを特徴とする請求項１に記載するカバーロック機構。
【請求項３】
前記当止ブロックの末端には、前記係合片に当止される斜面が設けられていることを特徴とする請求項２に記載するカバーロック機構。
【請求項４】
本体と、係合片を介して前記本体に係合されたカバー部材と、前記カバー部材と前記本体との係合を解除するための請求項１から３のいずれか一項に記載のカバーロック機構と、を備えることを特徴とする電子装置。
【請求項５】
前記本体は、底壁及び端壁を備え、前記底壁の外面には、前記カバーロック機構を装着するための組立凹所が設けられており、前記端壁には、係合部が設けられ、前記カバー部材は前記係合部内に収容されることを特徴とする請求項４に記載する電子装置。
【請求項６】
前記係合片には、凹状スロットが形成されており、前記端壁には、リブが設けられており、前記リブは、前記凹状スロット内に解除可能に係合されることを特徴とする請求項５に記載する電子装置。
【請求項７】
前記係合片の末端には第一斜面が設けられ、前記当止ブロックの末端には、前記係合片の前記第一斜面に対向する第二斜面が設けられており、
前記押しボタンが押圧されると、前記当止ブロックは、前記軸を介して前記底壁の内面から離れる方向へ回転し、前記第二斜面は、前記第一斜面に当止されて前記第一斜面を推進し、前記係合片は前記リブから離れるように移動し、前記凹状スロットと前記リブとの係合が解除されることを特徴とする請求項６に記載の電子装置。
【発明の詳細な説明】
【技術分野】
【０００１】
本発明は、カバーロック機構に関し、特に容易に解除することができるカバーロック機構及びこれを用いた電子装置に関するものである。
【背景技術】
【０００２】
現在、携帯電話機などの電子装置のハウジングの殆んどは、上部カバー及び下部カバーを備えている。前記ハウジングを組み立てる場合、上部カバーに設けられたクリップ又はロックピンなどを、下部カバーに設けられたスロットなどに係合させる。電子装置の上部カバー及び下部カバーを容易に解体するためには、一般的に、前記上部カバー及び前記下部カバーの何れか一方に窪みを設けて、前記窪みに対して外力を加えることによって、前記ハウジングをロック状態から解除する。しかし、このような解除操作は外力を必要とする。
【発明の概要】
【発明が解決しようとする課題】
【０００３】
以上の問題点に鑑みて、本発明は、カバーを電子装置の本体部に対して容易に着脱できるカバーロック機構及びこれを用いた電子装置を提供することを目的とする。
【課題を解決するための手段】
【０００４】
上記の目的を達成するために、本発明に係るカバーロック機構は、係合片を介して本体に係合されたカバー部材と前記本体との係合を解除することに用いられ、且つ押しボタン、軸及び弾性部品を備える。前記押しボタンは、前記軸を介して前記本体に回転可能に装着され、前記弾性部品は、前記軸を取り囲むように装着され且つ前記押しボタンに弾性的に当止され、前記押しボタンの一端には、当止ブロックが突設されており、前記押しボタンが押圧されると、前記押しボタンは前記軸を介して回転されることによって、前記当止ブロックは、前記係合片を推進して前記係合片と前記本体との係合を解除させ、これと同時に、前記弾性部品は捩れて弾性力を蓄積し、前記押しボタンに対する外力が除去されると、前記弾性部品は、前記弾性力を解放して、前記押しボタンを元の位置に戻す。
【０００５】
また、上記の目的を達成するために、本発明に係る電子装置は、本体と、係合片を介して前記本体に係合されたカバー部材と、前記カバー部材と前記本体との係合を解除するためのカバーロック機構と、を備える。前記カバーロック機構は、押しボタン、軸及び弾性部品を備え、前記押しボタンは、前記軸を介して前記本体に回転可能に装着され、前記弾性部品は、前記軸を取り囲むように装着され且つ前記押しボタンに弾性的に当止され、前記押しボタンの一端には、当止ブロックが突設されており、前記押しボタンが押圧されると、前記押しボタンは前記軸を介して回転されることによって、前記当止ブロックは、前記係合片を推進して前記係合片と前記本体との係合を解除させ、これと同時に、前記弾性部品は捩れて弾性力を蓄積し、前記押しボタンに対する外力が除去されると、前記弾性部品は、前記弾性力を解放して、前記押しボタンを元の位置に戻す。
【発明の効果】
【０００６】
従来の技術と異なり、本発明のカバーロック機構及びそれを用いた電子装置は、カバーロック機構の押しボタンを押すだけで、容易にカバーを本体から手軽に取り外すことができる。
【図面の簡単な説明】
【０００７】
【図１】本発明のカバーロック機構を備えた電子装置の分解斜視図である。
【図２】図１に示した電子装置を別の視点から見た分解斜視図である。
【図３】図１に示した電子装置の組立斜視図である。
【図４】図３に示した電子装置を反対側から見た一部の拡大図である。
【図５】図３に示した電子装置のＶ−Ｖ線に沿った断面図である。
【図６】図５に示した電子装置の別の状態を示す断面図である。
【発明を実施するための形態】
【０００８】
図１〜図３に示すように、本発明の電子装置は、携帯電話機及びタブレットパソコンなどであり、本体１０、カバー部材２０及びカバーロック機構３０を備える。カバーロック機構３０は、本体１０に装着される。カバー部材２０は、カバーロック機構３０を介して本体１０に着脱可能に装着される。
【０００９】
本体１０は、底壁１１と、互いに対向して位置する２つの側壁１３と、当該２つの側壁１３を連接する端壁１５と、複数の係止部１７と、を備える。底壁１１の外面（即ち、本体１０の外観面）には、カバーロック機構３０を装着するための組立凹所１１０が設けられており、組立凹所１１０の底壁における端壁１５に近い一端には、貫通孔１１０１が設けられている。底壁１１の内面における貫通孔１１０１の両側には、バンプ１１１がそれぞれ設けられている。各バンプ１１１には、第一軸孔１１２がそれぞれ設けられている。端壁１５の外面には、カバー部材２０を固定するための係合部１５０が設けられており、この係合部１５０の中央部には、貫通孔１５０１が設けられている。本体１０の内部に設けられているコネクタの接続ポートは、貫通孔１５０１を介して露出する。端壁１５の内面の貫通孔１５０１に対応する箇所には、リブ１５２がさらに設けられている。本実施形態において、係止部１７は、側壁１３と端壁１５とが連接する箇所の内側に設けられた係止ブロック１７０と、貫通孔１５０１の両側に位置し且つ端壁１５を貫通するように設けられた２つの係止溝１７４と、を備える。
【００１０】
カバー部材２０は、本体部２１、本体部２１の内面に突設された係合片２２及び本体部２１の内面に設けられた少なくとも１つのフック２３を備える。本体部２１の全体は、本体１０の係合部１５０内に装着される。この際、係合片２２は、貫通孔１５０１を貫通して本体１０の内部まで延伸する。本実施形態において、フック２３は、本体１０の係止部１７に対応して設置され、且つ係止溝１７４内に係合される第一フック２３４及び係止ブロック１７０に係合される第二フック２３６を備える。係合片２２には、楔状リブ２２３が突設されており、係合片２２の末端には、カバーロック機構３０に当止される第一斜面２２１が設けられている（図５を参照）。また、楔状リブ２２３と本体部２１との間には、凹状スロット２２５が形成されており、この凹状スロット２２５は、端壁１５のリブ１５２に分離可能に係合される。
【００１１】
カバーロック機構３０は、押しボタン３２、弾性部品３６及び軸３８を備える。押しボタン３２は、主体部３２１と、主体部３２１の両側にそれぞれ突設された２つの突片３２２と、主体部３２１の一端に設けられた当止ブロック３２３と、主体部３２１に突設され且つ当止ブロック３２３と２つの突片３２２との間に位置する係合ブロック３２４と、を備える。
【００１２】
主体部３２１を底壁１１の組立凹所１１０に装着すると、２つの突片３２２、当止ブロック３２３及び係合ブロック３２４は、貫通孔１１０１を貫通して、本体１０の内部まで延伸し、各突片３２２は、底壁１１の１つのバンプ１１１の内側に近づく。
【００１３】
各突片３２２には、バンプ１１１の第一軸孔１１２に対応して、第二軸孔３２２１が設けられている。当止ブロック３２３の末端には、係合片２２の第一斜面２２１に対向する第二斜面３２３１が設けられている。弾性部品３６は、トーションバネであり、螺旋部３６１、螺旋部３６１の一端に設けられた当止ロッド３６３及び螺旋部３６１の他端に設けられたフレーム状体３６５を備える。螺旋部３６１を軸３８を取り囲むように装着した後、軸３８の両端は、それぞれ順次に第二軸孔３２２１及び第一軸孔１１２を貫通して装着される。これにより、カバーロック機構３０は、底壁１１において軸３８を介して回転することできる。当止ロッド３６３が押しボタン３２の主体部３２１に当止され、フレーム状体３６５が係合ブロック３２４を取り囲むように固定されることによって、弾性部品３６は、カバーロック機構３０に対して、押しボタン３２を底壁１１に近づかせるためのトルクを付与する。押しボタン３２が組立凹所１１０内に嵌められた後、当止ブロック３２３は底壁１１の内面に当接され、主体部３２１の当止ブロック３２３から離れる一端は組立凹所１１０の底壁に当接される。
【００１４】
図４或いは図６に示すように、カバー部材２０を本体１０に装着する場合、本体部２１を係合部１５０内に収容し、フック２３を本体１０の係止部１７に係止させた後、リブ１５２を楔状リブ２２３を乗り越えて凹状スロット２２５内に係合させればよい。
【００１５】
カバー部材２０を本体１０から取り外す場合、押しボタン３２を押圧して、当止ブロック３２３を軸３８を介して底壁１１の内面から離れる方向へ回転させる。この際、当止ブロック３２３の第二斜面３２３１は、係合片２２の第一斜面２２１に当止され且つ第一斜面２２１を推進する。これに従い、係合片２２は、リブ１５２から離れる方向へ移動して、リブ１５２との係合関係を解除する。この際、弾性部品３６は捩れて弾性力を蓄積している。押しボタン３２に対する外力が除去されると、弾性部品３６は弾性力を解放して、押しボタン３２を元の位置に戻す。以上の操作によって、カバー部材２０の本体部２１の一部は、係合部１５０の内部から退出するため、ユーザは、本体部２１を持って、カバー部材２０を本体１０から容易に取り外すことができる。
【符号の説明】
【００１６】
１０  本体
１１  底壁
１３  側壁
１５  端壁
１７  係止部
１１０  組立凹所
１１０１  貫通孔
１１１  バンプ
１１２  第一軸孔
１５０  係合部
１５２  リブ
１５０１  貫通孔
１７０  係止ブロック
１７４  係止溝
２０  カバー部材
２１  本体部
２２  係合片
２３  フック
２２１  第一斜面
２２３  楔状リブ
２２５  凹状スロット
２３４  第一フック
２３６  第二フック
３０  カバーロック機構
３２  押しボタン
３２１  主体部
３２２  突片
３２２１  第二軸孔
３２３  当止ブロック
３２３１  第二斜面
３２４  係合ブロック
３６  弾性部品
３８  軸
３６１  螺旋部
３６３  当止ロッド
３６５  フレーム状体
【図１】
2014192524.tif 000003
【図２】
2014192524.tif 000004
【図３】
2014192524.tif 000005
【図４】
2014192524.tif 000006
【図５】
2014192524.tif 000007
【図６】
2014192524.tif 000008